(57)【特許請求の範囲】
【請求項１】
屋根勾配方向であるＸ方向に走る山形部が軒先方向であるＹ方向に所定ピッチＰａで連続しており、該山形部には屋根板を連接したときの突条が屋根勾配方向に走っている立ちはぜ折板屋根の上に断熱材を固定する固定構造であって、前記固定構造は、前記突条を左右から挟み付ける一対のクランプ片からなるクランプを少なくとも突条の２箇所に固定し、該固定したクランプを利用してＸ方向に伸びる長尺状の第１の固定用治具を取り付け、該第１の固定用治具に対して断熱材を固定する固定構造であり、
前記第１の固定用治具の前記突条に固定したクランプへの取り付け態様は、一端に、該突条に固定したクランプに自由度をもった状態で係合しうる係止孔を有しており、他端は前記第１の固定用治具に固定できるようになっている、第２の固定用治具を用い、該第２の固定用治具の前記他端に前記第１の固定用治具が固定された態様であり、さらに、
前記断熱材は、取り付け孔を前記Ｘ方向にピッチＰ１、前記Ｙ方向にピッチＰ２で有しているものであり、前記第１の固定用治具は前記断熱材のＸ方向のピッチＰ１と同じピッチＰ１でボルトを立設した長尺状の固定用治具であり、前記ボルトを利用して前記断熱材は前記第１の固定用治具に固定されていることを特徴とする立ちはぜ折板屋根への断熱材の固定構造。
【請求項２】
第２の固定用治具の他端側も第１の固定用治具との間で固定位置を調整できるような形状とされている第２の固定用治具を用いることを特徴とする請求項１に記載の立ちはぜ折板屋根への断熱材の固定構造。
【請求項３】
立ちはぜ折板屋根には嵩上げ材が配置されており、第１の固定用治具は該嵩上げ材の上に配置されており、第２の固定用治具は、嵩上げ材が配置されない箇所において一端を前記突条に固定したクランプに固定し、他端を第１の固定用治具に固定していることを特徴とする請求項１または２に記載の立ちはぜ折板屋根への断熱材の固定構造。
【請求項４】
請求項１ないし３のいずれかに記載の立ちはぜ折板屋根への断熱材の固定構造により固定された断熱材を持つ断熱屋根。
【発明の詳細な説明】
【技術分野】
【０００１】
本発明は、山形部が所定ピッチで連続している構造を備えた折板屋根、特に、屋根板同士を継ぎ合わせたときの突条が山形部の頂部を屋根勾配方向に走っている、いわゆる立ちはぜ折板屋根に対して断熱材を安定して固定するための固定構造と、その固定構造を用いた断熱屋根に関する。
【背景技術】
【０００２】
発泡樹脂などで作られた断熱材を屋根板の上に固定して断熱屋根とすることが行われている。屋根板が平板状の場合には、断熱材を屋根板の上に敷設し、かつ固定用ボルトなどを用いて断熱材を屋根板に固定していくことは比較的に容易である。しかし、図１に示すような、金属製の屋根板をはぜ継ぎして作られる立ちはぜ折板屋根、すなわち、屋根勾配方向であるＸ方向に走る山形部１が軒先方向であるＹ方向に所定ピッチＰａで連続しており、該山形部１の頂部２には屋根板３をはぜ継ぎしたときの突条（立ちはぜ）４が屋根勾配方向に走っている立ちはぜ折板屋根の上に断熱材を安定的に固定することは、容易でない。
【０００３】
すなわち、立ちはぜ折板屋根は、図１ｂに断面を示すように、左右の立ち上がり縁の上端部に互いに係合する湾曲部３ａ，３ｂを形成した長尺状の屋根板３を、隣接する屋根板３，３の湾曲部同士を係合（はぜ継ぎ）しながら、梁５の上に専用の取り付け具６を利用して固定するようにしており、前記のように山形部２の頂部には軒先方向に一定ピッチＰａで屋根勾配方向に走る突条４は形成されるものの、断熱材を固定するためのボルトなどは屋根面に存在しないからである。
【０００４】
一つの解決策として、特許文献１には、板状の断熱材が載置される平板部と、その両端から下方に延びて立ちはぜの首部に嵌り込む脚とからなる固定具を立ちはぜ部に取り付け、該脚に外側からねじ通しした止めねじを締め付けることによって、固定具を立ちはぜ部に固定し、そのようにして固定した固定具の前記平板部の上に断熱材を載せた状態で、断熱材の上方から固定具（平板部）に向けてアンカービスを打ち込むことにより、屋根板に断熱材を固定した断熱屋根が記載されている。
【特許文献１】特開２００４−２１８２８４号公報
【発明の開示】
【発明が解決しようとする課題】
【０００５】
特許文献１に記載のように特定形状の固定具を介して立ちはぜ折板屋根の上に板状の断熱材を取り付けるやり方は、断熱材の取り付け構造として有効であるものの、なお改善すべき余地がある。
【０００６】
すなわち、一般に、板状の断熱材は矩形状であり、所定の大きさに形成されたものが施工現場に持ち込まれる。また、屋根板上での固定作業を効率化するために、断熱材には、屋根勾配方向であるＸ方向と軒先方向であるＹ方向とに所定ピッチＰ１，Ｐ２で取り付け孔が予め形成されていることが多い。その場合、取り付け孔のＸ方向のピッチＰ１に一致させて、固定具を立ちはぜ部の屋根勾配方向に固定していくことが求められるが、屋根板の上で、一定ピッチＰ１で立ちはぜ部に固定具を取り付けていくことは容易でない。特に、屋根の面積が大きい場合には、多数枚の断熱材を屋根勾配方向に配置することとなるので、その作業量も膨大となる。
【０００７】
さらに、断熱材に形成される取り付け孔の前記Ｙ方向のピッチＰ２が、山形部のピッチＰａと同じまたはその整数倍である場合には問題は生じないが、双方のビッチが異なる場合には、立ちはぜ部に固定した固定具に対して、アンカービス等を断熱材の取り付け孔を通して的確に打ち込めない場合が起こり得る。そのような場合、固定具の位置に対応する箇所から断熱材を通してアンカービス等を打ち込むこととなるが、固定具は断熱材が覆われていて見ることができないので、適切な打ち込み箇所を見つけ出すのが容易でないと共に、予め形成されていた取り付け孔はそのまま空穴として残ることとなり、断熱性能にも影響が出る。
【０００８】
また、立ちはぜ屋根の隣接する山形部の間は空所であり、その部分では断熱材は裏面側からの支えを有していないので、作業者がその部分に足を載せたときに、断熱材に破損が生じる恐れがある。
【０００９】
本発明は、上記のような事情に鑑みてなされたものであり、従来よりも少ない作業量で断熱材を立ちはぜ折板屋根の上に安定的に固定できるようにした立ちはぜ折板屋根への断熱材の固定構造を提供することを目的とする。本発明の他の目的は、断熱材に形成される取り付け孔の軒先方向のピッチＰ２と立ちはぜ折板屋根の山形部のピッチＰａとが異なっている場合でも、安定的に断熱材を固定できるようにした立ちはぜ折板屋根への断熱材の固定構造を提供することにある。本発明のさらに他の目的は、そのような固定構造を用いた断熱屋根を提供することにある。
【課題を解決するための手段】
【００１０】
本発明による立ちはぜ折板屋根への断熱材の固定構造は、屋根勾配方向であるＸ方向に走る山形部が軒先方向であるＹ方向に所定ピッチＰａで連続しており、該山形部には屋根板を連接したときの突条が屋根勾配方向に走っている立ちはぜ折板屋根の上に断熱材を固定する固定構造であって、前記突条を左右から挟み付ける一対のクランプ片からなるクランプを少なくとも突条の２箇所に固定し、該固定したクランプを利用してＸ方向に伸びる長尺状の第１の固定用治具を取り付け、該第１の固定用治具に対して断熱材を固定することを特徴とする。
【００１１】
上記の固定構造では、基本的に、断熱材は前記第１の固定用治具に対して固定する構造であり、第１の固定用治具を屋根板の上に安定的に取り付け得るだけの数のクランプ（少なくとも２個）を立ちはぜ突条に対して固定すればよいので、立ちはぜ部へのクランプ取り付け作業は大きく省力化される。固定したクランプを利用して第１の固定用治具を取り付ける作業は、立ちはぜ部にクランプを固定する作業に比べれば、容易である。第１の固定用治具に対する断熱材の固定は、第１の固定用治具に固定用のボルトを立設しておき、それを利用して断熱材を固定するようにしてもよく、断熱材の上からアンカービス等を第１の固定用治具に対して打ち込むようにしてもよい。第１の固定用治具は前記Ｘ方向の全長にわたって位置しており、アンカービス等の打ち込み位置の選定は容易である。
【００１２】
断熱材は予め取り付け孔を有しないものであってもよい。その場合には、施工現場での作業が幾分煩雑となる。好ましくは、断熱材として、取り付け孔を前記Ｘ方向にピッチＰ１、前記Ｙ方向にピッチＰ２で有しているものを用いる。そして、その際に、前記第１の固定用治具として、該断熱材のＸ方向のピッチＰ１と同じピッチＰ１でボルトを立設した長尺状の固定用治具を用いる。複数枚の断熱材が、前記ボルトを利用して第１の固定用治具に固定される。
【００１３】
この固定構造では、第１の固定用治具に立設したボルトを、断熱材に形成した取り付け孔に差し込むだけで、断熱材の仮固定ができるので、断熱材の取り付け作業はさらに容易化する。断熱材から突出しているボルトの部分にワッシャを介してナットを締め込むことにより、断熱材はしっかり固定される。
【００１４】
断熱材に形成した取り付け孔の前記Ｙ方向のピッチＰ２が、屋根板のＹ方向のピッチＰａと同じかその整数倍である場合には、断熱材の取り付け孔のピッチＰ２に一致する箇所の突条（立ちはぜ）に前記クランプを固定し、固定したクランプに第１の固定用治具を直接取り付けることにより、該第１の固定用治具を利用して断熱材を安定的に取り付けることができる。
【００１５】
しかし、立ちはぜである突条のＹ方向のピッチＰａの整数倍が断熱材の取り付け孔のＹ方向のピッチＰ２に一致しないのが通常であり、そのための対策として、本発明による立ちはぜ折板屋根への断熱材の固定構造の他の態様では、一端に、前記突条に固定したクランプに自由度をもった状態で係合しうる係止孔を有し、他端は第１の固定用治具に固定できるようになっている第２の固定用治具をさらに用いる。そして、第２の固定用治具に固定した第１の固定用治具のボルトを利用して断熱材を固定する。
【００１６】
このように、突条に固定したクランプに自由度をもった状態で係合しうる第２の固定用治具を用い、該第２の固定用治具に第１の固定用治具を固定することにより、立ちはぜである突条のＹ方向のピッチＰａと異なる任意のピッチで第１の固定用治具を立ちはぜ折板屋根の上に固定することが可能となる。固定しようとする断熱材の取り付け孔のＹ方向のピッチＰ２に一致させて第１の固定用治具を固定しておくことにより、断熱材を当該第１の固定用治具を用いて確実に固定することができる。
【００１７】
他端側も第１の固定用治具との間で固定位置を調整できるような形状とされている第２の固定用治具を用いることもできる。この場合には、第１の固定用治具のピッチ合わせが一層容易となる。
【００１８】
本発明による立ちはぜ折板屋根への断熱材の固定構造において、他の態様では、立ちはぜ折板屋根に嵩上げ材が配置される。すなわち、この態様は、上記の断熱材の固定構造であって、立ちはぜ折板屋根には嵩上げ材が配置されており、第１の固定用治具は該嵩上げ材の上に配置されており、第２の固定用治具は、嵩上げ材が配置されない箇所において一端を前記突条に固定したクランプに固定し、他端を第１の固定用治具に固定していることを特徴とする。
【００１９】
この固定構造では、嵩上げ材の上に配置されている第１の固定用治具を利用して断熱材が固定されるので、突条に取り付けたクランプや第２の固定用治具が断熱材の底面にぶつかるのを効果的に回避できる。さらに、第１の固定用治具の取り付け状態も安定するので、断熱材の固定そのものも一層安定する。
【００２０】
前記の態様において、嵩上げ材は、突条（立ちはぜ部）に固定されているクランプを避けた状態で突条（立ちはぜ部）の上に乗ることができるものであればよく、クランプの部分を切り欠いた（開孔部とした）、広い面積を持つ平板状の板材などであってもよい。この場合、嵩上げ材としては、軽量化の目的から、発泡樹脂製のものを用いることが望ましい。具体的には、発泡性ポリスチレン、発泡性ポリプロピレン、発泡性ポリエチレン、発泡性ポリウレタン、発泡性ポリ塩化ビニルなどが挙げられる。発泡樹脂製でなく、非発泡合成樹脂製、木材製のようなものであってもよい。発泡樹脂製の嵩上げ材を用いる場合には、結果として２層構造の断熱層が形成されるので、屋根の断熱性能はさらに向上する。
【００２１】
嵩上げ材として、ブリキなどの薄い鉄板を箱状に曲げ加工して得る上面がフラットな棒状をなすパネル材や樹脂製もしくは鋼製の角パイプやチャンネル材なども用いることができる。この場合、嵩上げ材は立ちはぜ折板屋根の屋根勾配方向に直交する方向に配置する。その際に、嵩上げ材同士は隙間をおいて配置することが望ましく、その隙間を利用して、前記第２の固定用治具を取り付ける。
【００２２】
なお、上記の説明では、軒先方向であるＹ方向と直交するＸ方向を屋根勾配方向と表現しているが、本発明において屋根がＸ方向に勾配が付いていることは必須でなく、発明の本質からいって、屋根は、多数枚の屋根板同士がはぜ継ぎで接合している、いわゆる立ちはぜ折板屋根であればよく、それが勾配のない水平屋根の場合であっても本発明の範囲に含まれる。
【００２３】
また、本発明において、断熱材の素材としては、軽量であることから、例えば、ポリスチレン、ポリエチレン、ポリプロピレン等の発泡性樹脂が挙げられる。特に、ＪＩＳ  Ａ９５１１に規定される押し出し法ポリスチレンフォームは好ましいが、ビーズ型内発泡により得られる発泡樹脂板であってもよい。発泡樹脂製の場合、耐候性に欠けるので、通常、別途保護層がその上に形成される。保護層には、亜鉛メッキ鋼板のような耐食性・耐候性に優れた金属板、塩化ビニル系樹脂シートやアスファルト系シートのような防水性シート、ポリウレタン系樹脂やアクリル系樹脂からなる被覆材、あるいはそれらを積層したものが挙げられる。保護層は、断熱材を屋根板に留め付け後に、断熱材の上に積層固定するようにしてもよく、予め保護層を一体に積層した断熱材を用い、断熱材の留め付けと保護層の積層とが同時に行われるようにしてもよい。後者の場合、保護層とは反対側の面に不織布からなる層を貼着しておくこともできる。それにより、上方からの荷重に対する曲げ強度をより大きなものとすることができる。
【００２４】
鋼板のような硬質の保護層を一体に積層した断熱材の場合、施工現場で断熱材に取り付け孔を形成することは容易でない。この場合には、予め、前記Ｘ方向にピッチＰ１、前記Ｙ方向にピッチＰ２で取り付け孔を形成した断熱材を用いることが推奨される。
【発明の効果】
【００２５】
本発明によれば、従来よりも少ない作業量で断熱材を立ちはぜ折板屋根の上に安定的に固定できるようにした断熱材の固定構造が得られる。また、断熱材に形成される取り付け孔の軒先方向のピッチＰ２と立ちはぜ折板屋根の山形部のピッチＰａとが異なっている場合でも、安定的に断熱材を固定できるようにした立ちはぜ折板屋根への断熱材の固定構造が得られる。
【発明を実施するための最良の形態】
【００２６】
以下、図面を参照しながら、本発明を実施の形態に基づき説明する。図１は立ちはぜ折板屋根の一例を示し、図２はその立ちはぜである突条に固定するクランプを示している。図３は立ちはぜ折板屋根の上に固定した状態の断熱材の一例を示す平面図である。図４は本発明の固定構造で用いる第１の固定用治具を示し、図５は第２の固定用治具を示す。図６は本発明による断熱材の固定構造の一形態を説明する図であり、図７は図６における第１の固定用治具と第２の固定用治具との固定構造の部分のみを上から見て示している。図８と図９は本発明による断熱材の固定構造の他の形態を説明するための図である。
【００２７】
前記しかつ図１に示すように、立ちはぜ折板屋根Ｒは、屋根勾配方向であるＸ方向に走る山形部１が軒先方向であるＹ方向に所定ピッチＰａで連続しており、該山形部１の頂部２には屋根板３を連接したときの突条（立ちはぜ）４が屋根勾配方向に走っている。このような立ちはぜ折板屋根Ｒの上に図３に示ようにして断熱材１０を固定することにより、本発明に断熱屋根とされる。
【００２８】
図２はそこで用いるクランプ６０を示す。クランプ６０は、一定の横幅を持つ左右一対のクランプ片６１，６１で構成される。各クランプ片６１は、立ちはぜである突条４の下方領域を押さえ付ける挟持先端部６２と、そこに続く膨出部６３と、前記挟持先端部６２の先端位置とほぼ同じ垂直位置にある垂直部６４と、該垂直部６４の上端に位置する水平部６５とを有し、垂直部６４には左右のクランプ片６１、６１を一体に締め付けるときに用いるボルトのためのボルト孔６６が形成されている。また、水平部６５にも他部材を一体に固定するときに用いるボルトのためのボルト孔６７が形成されている。
【００２９】
前記膨出部６３の内面側の形状は、好ましくは立ちはぜである突条４の外郭形状に一致した形状であり、その大きさは、左右のクランプ片６１、６１を締め付けたときに突条４をわずかに圧縮して変形させるように大きさとされる。しかし、膨出部６３の内面側の形状は、左右のクランプ片６１、６１を締め付けたときに、その内周面が部分的に突条４に接触するような形状であっても差し支えない。
【００３０】
クランプ６０の固定に際しては、左右のクランプ片６１，６１の膨出部６３の間に突条４を挟み込んだ姿勢とし、双方の垂直部６４に形成したボルト孔６６にボトルを通してナットで締め付ける。一定の横幅を持つ挟持先端部６２の先端と膨出部６３の内面側とで突条４を両側から押さえ付けた状態で、クランプ６０は突条４に固定されるので、クランプ６０の固定状態はきわめて安定したものとなる。
【００３１】
そのようにして固定したクランプ６０を利用して、断熱材１０を固定する。図示しないが、一つの固定態様として、立ちはぜである突条４の必要箇所に複数個のクランプ６０を固定し、固定したクランプ６０の水平部６５に形成したボルト孔６７を利用して固定用ボルトを立設し、そのボルトに対して直接断熱材１０を固定することもできる。しかし、前記したように、断熱材１０には屋根勾配方向であるＸ方向と軒先方向であるＹ方向に所定ピッチ（Ｐ１，Ｐ２）で取り付け孔１１が形成されているのが普通であり、そのピッチＰ１，Ｐ２に一致するようにして、各突条４に多数のクランプ６０を固定していくことは、きわめて困難であり、またＹ方向に対しては不可能となることがある。
【００３２】
以下の実施の形態では、第１の固定用治具２０（図４）を用いることによってＸ方向のピッチ合わせを容易にし、第２の固定用治具３０（図５）を用いることによってＹ方向の任意のピッチ合わせを容易かつ可能としている。なお、突条４のＹ方向のピッチＰａの整数倍が断熱材１０のＹ方向のピッチＰ２と一致する場合には、第２の固定用治具３０の使用を省略することもできる。
【００３３】
この例において、立ちはぜ折板屋根Ｒに固定する断熱材Ａは、図３に示すように、矩形状の単位断熱材１０を複数枚組み付けて構成される。単位断熱材１０は発泡樹脂の成形品であり、段差部１４が形成されている。各偶部には孔１１が形成されており、該孔１１は、段差部１４を利用して隣接する単位断熱材１０、１０を組み付けたときに、上下に連通する取り付け孔１１となる。この例では、複数枚の単位断熱材１０を組み付けて断熱材Ａとしたときに、前記各取り付け孔１１は、屋根勾配方向であるＸ方向ではピッチＰ１で配列しており、軒先方向であるＹ方向ではピッチＰ２で配列している。ピッチＰ１とピッチＰ２は同じであってもよく、異なっていてもよい。なお、断熱材Ａは一枚物で作られていてもよいが、その場合でも、ピッチＰ１およびピッチＰ２で取り付け孔１１が形成される。図３には前記した第１の固定用治具２０も同時に示している。
【００３４】
第１の固定用治具２０は、図４に示すように、長尺状の金属板２１と、そこに固定的に立設した複数本の固定用ボルト２２からなり、ボルト２２の間隔（ピッチ）は、断熱材Ａに形成した取り付け孔１１の屋根勾配方向であるＸ方向でのピッチＰ１と同じとされている。また、所要箇所には、後記するように、第２の固定用治具３０の他端側とボルトナット２５，２６（図６）を用いて固定するときに用いる穴２３が形成されている。
【００３５】
第２の固定用治具３０は、図５に示すように、長尺状の金属板３１であり、その両端には長孔３２が形成されている。なお、固定構造の形態に応じて、図５ａに示す単に平板状の第２の固定用治具３０ａと、図５ｂに示すに両端部の高さが違うようにされた第２の固定用治具３０ｂが選択的に用いられる。また、施工現場の状況などに応じて、図５ｃに示すように長さのより短い第２の固定用治具３０ｃを用いることもある。
【００３６】
施工に当たっては、図２に基づき説明したようにして、立ちはぜ折板屋根Ｒの一つの山形部１の立ちはぜ部である突条４に、前記した第１の固定用治具２０に形成されている穴２３のピッチで、少なくとも２個のクランプ６０を固定する。前記山形部１に隣接する山形部１であって、断熱材１０のＹ方向のピッチＰ２にほぼ一致する箇所にある山形部１・・にも同様にしてクランプ６０を固定する。
【００３７】
次ぎに、図６に示すように、嵩上げ材として、固定したクランプ６０を避けることのできる開口４１を備えた発泡樹脂製板４０を、立ちはぜである突条４の上に敷設する。発泡樹脂製板４０の厚さは、突条４に固定したクランプ６０の高さを超える厚さとする。発泡樹脂製板４０の平面視での形状や大きさは任意であり、複数枚の発泡樹脂製板４０を寄せ集めて立ちはぜ折板屋根Ｒ上の必要とされる面積を覆うようにしてもよい。
【００３８】
敷き詰めた発泡樹脂製板４０の上であって、前記突条４に固定したクランプ６０の近傍に、所要本数の第１の固定用治具２０をＸ方向に向けて仮配置する。次ぎに、図５ａに示した平板状の第２の固定用治具３０ａの一端部を、そこに形成した長孔３２と既に固定されているクランプ６０の水平部６５に形成したボルト孔６７とに固定ボルト６８を通してナット６９を仮締めすることにより、クランプ６０側に仮固定する。
【００３９】
また、仮固定した第２の固定用治具３０ａの他方の端部に形成した長孔３２と、前記第１の固定用治具２０に形成した穴２３とにボルト２５を通し、ナット２６を仮締めすることにより、第２の固定用治具３０ａと第１の固定用治具２０とを仮固定する。同じことを、同じ山形部１上の突条４に固定した他のクランプ６０と第１と第２の固定用治具２０，３０との間でも行う。
【００４０】
この状態では、第１の固定用治具２０はＸ方向とＹ方向の双方向にわずかに移動することができるので、施工現場での設計仕様に合わせて、所定の位置に第１の固定用治具２０を位置決めし、固定ボルト６８側のナット６９とボルト２５側のナット２６を締め込んで、第１の固定用治具２０の位置を固定する。なお、前記固定ボルト６８に係合する長孔３２のみで所要の位置合わせができる場合には、第２の固定用治具３０ａの他端側の長孔３２は円孔であってもよい。
【００４１】
この態様で、断熱材Ａ（単位断熱材１０）の裏面側が、第２の固定用治具３０および第１の固定用治具２０に衝接するのを避けなければならないので、前記部材が位置することとなる断熱材Ａ（単位断熱材１０）の裏面には、凹陥部１９が形成される。
【００４２】
側方に位置する２本目の第１の固定用治具２０に対しても、同じようにして位置決めと固定を行う。その際に、基準となる第１の固定用治具２０と２本目の第１の固定用治具２０との間隔は、断熱材Ａに形成した取り付け孔１１の軒先方向であるＹ方向のピッチＰ２と同じになるように、２本目の第１の固定用治具２０の位置決めを行う。この位置調整は、前記したように、第２の固定用治具３０ａが両端に係止孔として長孔３２を有しており、そこでピッチの違いを吸収することができるので、可能となる。
【００４３】
必要本数の第１の固定用治具２０を同様にして立ちはぜ折板屋根Ｒの山形部１（立ちはぜである突条４）に対して固定していくことにより、敷設した発泡樹脂製板４０の上には、前記Ｘ方向にはピッチＰ１で、Ｙ方向にはピッチＰ２で、所要本数のボルト２２が固定的に立設した状態となる（図３も参照）。
【００４４】
立設したボルト２２・・・を利用し、単位断熱材１０に形成した取り付け孔１１にボルト２２を貫通させながら、必要枚数の単位断熱材１０を発泡樹脂製板４０の上に配置する。単位断熱材１０から飛び出ているボルト２２にナット２８をネジ込むことにより、単位断熱材１０は立ちはぜ折板屋根Ｒの上にしっかりと固定される。すべての単位断熱材１０に対してナット２８による締め付けを行うことにより、図３に示すように、本発明による固定構造で固定された断熱材Ａが立ちはぜ折板屋根Ｒの上に完成する。
【００４５】
図７は、第１の固定用治具２０と第２の固定用治具３０との固定構造の部分の他の例を上から見て示している。なお、図７において、図６に示した部材と同じ部材には同じ符号を付している。立ちはぜ折板屋根Ｒの上には、前記のようにして嵩上げ材としての発泡樹脂製板４０が敷設され、その上に、第１の固定用治具２０と第２の固定用治具３０を用いて単位断熱材１０・・・が固定されて、断熱材Ａとされている。
【００４６】
図７に示すように、この例では、図５ａおよび図５ｃに示した、長さの異なる第２の固定用治具３０ａ、３０ｃが用いられており、図で右側では、第１の固定用治具２０を固定するのに長さの長い第２の固定用治具３０ａを、左側では、第１の固定用治具２０を固定するのに長さの短い第２の固定用治具３０ｃ用いている。このように、立ちはぜ折板屋根Ｒの山形部１（立ちはぜである突条４）のピッチＰａと断熱材ＡのＹ方向のピッチＰ２との関係で、異なった長さの第２の固定用治具が用いられる場合がある。
【００４７】
図８は本発明による固定構造の第２の形態を示しており、ここでは、嵩上げ材を用いずに、クランプ６０が固定されていない山形部１の突条（立ちはぜ）４を支持基盤として断熱材Ａ（単位断熱材１０）が配置されている。ここでは、クランプ６０を固定していない立ちはぜである突条４の頂部を支持基盤として、その上に断熱材Ａ（単位断熱材１０）が乗った状態にある。断熱材Ａ（単位断熱材１０）の裏面側が、クランプ６０，第２の固定用治具３０ａおよび第１の固定用治具２０に衝接するのを避けるために、前記部材が位置することとなる断熱材Ａ（単位断熱材１０）の裏面には凹陥部１９が形成される。この形態でも、仮配置された第１の固定用治具２０を山形部３に対して所定位置に固定する手順と方法は、図６に示したものと同じであり、同じ機能を奏する部材には同じ符号を付し、説明は省略する。
【００４８】
図９は本発明による固定構造の第３の形態を示している。ここでは、嵩上げ材として、発泡樹脂製板４０ではなく、鋼製の角パイプ４０Ａを用いている。角パイプ４０Ａの高さは、立ちはぜ折板屋根Ｒの山形部１に固定されるクランプ６０の高さよりも高く、該クランプ６０を避けるようにして、必要本数の角パイプ４０Ａが前記Ｙ方向に平行に所要の間隔をおいて配置されている。第２の固定用治具３０ｂには、図５ｂに示した両端で高さの違う第２の固定用治具３０ｂを用いており、その一端をクランプ６０に固定ボルト６８に固定し、他端を第１の固定用治具２０に固定している。そして、配置した角パイプ４０Ａの上面を支持基盤として、第１の固定用治具２０が仮配置され、以下、図６に示したものと同じようにして、仮配置した第１の固定用治具２０をクランプ６０に対して所定位置に固定する。なお、同じ機能を奏する部材には同じ符号を付しており、その説明は省略する。
【００４９】
なお、図示しないが、本発明による断熱屋根においては、好ましくは、上記のようにして固定した断熱材Ａ（１０）の上に適宜の保護層が形成される。
【図面の簡単な説明】
【００５０】
【図１】立ちはぜ折板屋根の一例を示す斜視図（図１ａ）と屋根板を示す断面図（図１ｂ）。
【図２】立ちはぜである突条に固定するクランプと該クランプが突条に固定された状態を説明するための図。
【図３】立ちはぜ折板屋根の上に固定した状態の断熱材の一例を示す平面図。
【図４】本発明の固定構造で用いる第１の固定用治具を示す図。
【図５】本発明の固定構造で用いる第２の固定用治具を示す図。
【図６】本発明による断熱材の固定構造の一態様を説明する図。
【図７】図６における第１の固定用治具と第２の固定用治具との固定構造の部分のみを上から見て示す図。
【図８】本発明による断熱材の固定構造の他の態様を説明する図。
【図９】本発明による断熱材の固定構造のさらに他の態様を説明する図。
【符号の説明】
【００５１】
Ｒ…立ちはぜ折板屋根、Ａ…断熱材、Ｐ１…断熱材に形成される取り付け孔のＸ方向のピッチ、Ｐ２…断熱材に形成される取り付け孔のＹ方向のピッチ、Ｐａ…山形部のピッチ、Ｘ…屋根勾配方向、Ｙ…軒先方向、１…山形部、２…山形部の頂部、３…屋根板、４…突条（立ちはぜ）、１０…単位断熱材、１４…断熱材の段差部、１１…取り付け孔、１９…断熱材の裏面の裏面形成される凹陥部、２０…第１の固定用治具、２１…長尺状の金属板、２２…固定用ボルト、２３…固定用穴、３０…第２の固定用治具、３１…長尺状の金属板、３２…長孔、４０…嵩上げ材としての発泡樹脂製板、４１…開口、４０Ａ…嵩上げ材としての角パイプ、６０…クランプ、６１…左右一対のクランプ片、６２…挟持先端部、６３…膨出部、６４…垂直部、６５…水平部
【図１】
0004728109.tif 000002
【図２】
0004728109.tif 000003
【図３】
0004728109.tif 000004
【図４】
0004728109.tif 000005
【図５】
0004728109.tif 000006
【図６】
0004728109.tif 000007
【図７】
0004728109.tif 000008
【図８】
0004728109.tif 000009
【図９】
0004728109.tif 000010